(57)【要約】      （修正有）【課題】電気配線を伝わって流れる結露水の電装部分への浸入を抑制することができる冷蔵庫を提供する。【解決手段】冷蔵庫本体の背面部の庫内側に庫内操作パネル１５を取り付け、庫内操作パネル１５の庫内側には、庫内灯及び温度調整スイッチを取り付ける。庫内操作パネル１５はコネクタ収納部２７を備え、コネクタ収納部２７に収容するコネクタに、庫内灯及び温度調整スイッチから延びる電気配線３３，３５を接続する。配線引出部５９から引き出される庫内灯電気配線３３は、フック５３ａに引っ掛けた後、上方に向けて配索する。フック５３ａは、ボス部５３に一体形成されて、配線引出部５９よりも下方に位置する。ボス部５３には、蓋部３１を固定するための蓋固定用ねじを、ねじ挿入孔３１ａを通して締結するねじ孔を備える。【選択図】図４
2018119705.tif 000002
【特許請求の範囲】
【請求項１】
冷蔵庫本体と、
前記冷蔵庫本体の背面部の庫内側に取り付けられる庫内操作パネルと、
前記庫内操作パネルに取り付けられる電装部品と、
前記庫内操作パネルに設けられ、前記冷蔵庫本体と前記電装部品とを接続する電気配線の中継部を収納する電気配線収納部と、
前記電気配線収納部の庫内側に形成される開口部を閉塞する蓋部と、
前記庫内操作パネルの背面側に設けられ、前記蓋部を前記庫内操作パネルに対して庫内側から締結具により固定する際に、前記締結具が締結されるボス部と、
前記電気配線収納部に設けられ、前記電気配線が前記電気配線収納部の内部から外部に引き出される電気配線引出口と、
前記電気配線引出口から引き出される前記電気配線を保持する電気配線保持部とを、有し、
前記電気配線保持部は、前記電気配線引出口より下方の位置で前記ボス部に一体形成されていることを特徴とする冷蔵庫。
【請求項２】
前記電気配線保持部と前記電装部品との間の前記電気配線を、前記電装部品の近傍で保持する電装部品側電気配線保持部と、
前記電装部品を収納する電装部品収納部と、
前記電装部品収納部に設けられ、前記電装部品に接続される電気配線が前記電装部品収納部の内部から外部に引き出される電装部品側電気配線引出口と、を備え、
前記電装部品側電気配線保持部は、前記電装部品側電気配線引出口よりも下方に位置していることを特徴とする請求項１に記載の冷蔵庫。
【発明の詳細な説明】
【技術分野】
【０００１】
本発明は、電装部品が取り付けられる庫内操作パネルに電気配線が設けられる冷蔵庫に関する。
【背景技術】
【０００２】
冷蔵庫本体の内箱と庫内操作パネルとの間に、制御基板及び庫内電気機器を配置した冷蔵庫が特許文献１に開示されている。制御基板と庫内電気機器とはリード線によって互いに接続されている。
【先行技術文献】
【特許文献】
【０００３】
【特許文献１】特開平７−２１８１２０号公報
【発明の概要】
【発明が解決しようとする課題】
【０００４】
このような冷蔵庫において、庫内に発生する結露水がリード線に伝わって流れた場合には、結露水が制御基板や庫内電気機器等の電装部分に浸入すると故障の要因となる。
【０００５】
そこで本発明は、電気配線を伝わって流れる結露水の電装部分への浸入を抑制することを目的としている。
【課題を解決するための手段】
【０００６】
本発明の実施の形態は、冷蔵庫本体と、前記冷蔵庫本体の背面部の庫内側に取り付けられる庫内操作パネルと、前記庫内操作パネルに取り付けられる電装部品と、前記庫内操作パネルに設けられ、前記冷蔵庫本体と前記電装部品とを接続する電気配線の中継部を収納する電気配線収納部と、前記電気配線収納部の庫内側に形成される開口部を閉塞する蓋部と、前記庫内操作パネルの背面側に設けられ、前記蓋部を前記庫内操作パネルに対して庫内側から締結具により固定する際に、前記締結具が締結されるボス部と、前記電気配線収納部に設けられ、前記電気配線が前記電気配線収納部の内部から外部に引き出される電気配線引出口と、前記電気配線引出口から引き出される前記電気配線を保持する電気配線保持部とを、有し、前記電気配線保持部は、前記電気配線引出口より下方の位置で前記ボス部に一体形成されている。
【図面の簡単な説明】
【０００７】
【図１】本発明の一実施形態に係わる冷蔵庫の扉を外した状態の正面図である。
【図２】冷蔵庫本体の内箱の庫内側に取り付けられる庫内操作パネルの背面側から見た斜視図である。
【図３】庫内操作パネルの正面側から見た斜視図である。
【図４】庫内操作パネルの背面側から見た斜視図である。
【図５】図２の基板取付部周辺を示す斜視図である。
【発明を実施するための形態】
【０００８】
以下、本発明の実施の形態を図面に基づき説明する。
【０００９】
図１に正面図として示す冷蔵庫１は、冷蔵庫本体３の上部に冷凍室５が、下部に冷蔵室７がそれぞれ設けられる２ドア式の冷蔵庫である。なお、図１では２ドアの各扉は取り外した状態を示している。冷蔵庫本体３は、内箱９と、外箱１１と、内箱９と外箱１１との間に充填配置される図示しない断熱材とを備えている。内箱９は、冷凍室５と冷蔵室７との間に仕切り壁９ａを備えている。
【００１０】
冷凍室５に対応する位置の内箱９の内面（図１中で紙面表側の内面）には、図示しない冷却器を取り付けてあり、冷却器は冷却器カバー１３で覆われている。冷却器は、冷蔵庫本体３の図１中で紙面の裏面側となる背面部の庫内に取り付けられている。冷蔵室７に対応する位置の内箱９の内面（図１中で紙面表側の内面）の上部には、樹脂成型品で構成される庫内操作パネル１５を取り付けてある。庫内操作パネル１５は、冷却器と同様に、冷蔵庫本体３の図１中で紙面の裏面側となる背面部の庫内に取り付けられている。
【００１１】
庫内操作パネル１５は、図１とは逆の背面側から見た図４で示すように、内箱９の内面に対して略平行な状態で対向する主体部１５ａを有する。庫内操作パネル１５は、主体部１５ａの上縁から冷蔵庫本体３の開口側（図１中で紙面表側）に傾斜するようにして屈曲する上部傾斜部１５ｂ及び、主体部１５ａの下縁から冷蔵庫本体３の背面部側（図１中で紙面裏側）に向けて湾曲形成される湾曲部１５ｃを備えている。
【００１２】
庫内操作パネル１５は、図１に示すように正面から見て左下にＬＥＤ照明等からなる電装部品としての庫内灯１７を設け、同右下に温度調整スイッチ１９を設けている。庫内灯１７は、冷蔵室７の図示しない扉を開放したときに点灯して冷蔵室７の庫内照明を行う。温度調整スイッチ１９は、冷蔵室７の温度調整を行うもので、ユーザが冷蔵室７の図示しない扉を開放した状態で操作する。
【００１３】
図２は、図１の冷蔵庫本体３の背面側から庫内操作パネル１５を見た斜視図で、庫内操作パネル１５を取り付ける内箱９は二点鎖線で示しており、外箱１１は省略している。庫内操作パネル１５の周縁の複数箇所には、図３，図４にも示すように、係合爪２１を設けている。一方、内箱９には、係合爪２１が係合する係合孔９ｂを設けている。
【００１４】
図２、図４に示すように、庫内操作パネル１５の内箱９に対向する面の左右二箇所には、パネル取付用ボス２３を形成している。パネル取付用ボス２３は、内箱９に向けて突出する円筒形状であり、先端が内箱９に当接する。
【００１５】
庫内操作パネル１５のパネル取付用ボス２３に対応する表面側には、図３に示すように、ねじ挿入孔２５を形成している。ねじ挿入孔２５は、パネル取付用ボス２３の円筒部を貫通している。ねじ挿入孔２５は、図２に示すパネル取付用ボス２３の先端部を除き図示しないねじの頭部を挿入できる大径部２５ａとなっていて、パネル取付用ボス２３の先端側が、ねじの軸部が挿入される小径部２５ｂとなっている。庫内操作パネル１５を図１のように内箱９の内面に配置し、係合爪２１を係合孔９ｂに係合させた状態で、パネル取付用ボス２３の先端に対応する位置の内箱９には、ナット２６を取り付けてある。
【００１６】
したがって、庫内操作パネル１５は、係合爪２１を内箱９の係合孔９ｂに係合させた状態で、図示しないねじを、庫内側からパネル取付用ボス２３のねじ挿入孔２５に挿入し、内箱９のナット２６に締結することで、内箱９に取り付けることができる。
【００１７】
図１に示すように、庫内操作パネル１５における温度調整スイッチ１９の上部には、電気配線収納部としてのコネクタ収納部２７を形成している。コネクタ収納部２７は、図２、図４に示すように、内箱９に向けて突出するようにして一体形成された箱形状であり、図３に示すように庫内側が開口している。コネクタ収納部２７に、中継部としてのコネクタ２９を収容固定する。コネクタ収納部２７の庫内側の開口部は蓋部３１によって開閉自在となっている。
【００１８】
図３に示すように、コネクタ２９には、庫内灯電気配線３３及び温調電気配線３５の２本の電気配線のそれぞれの一端が接続される。コネクタ２９には、図２に示す本体側電気配線３７に一端が接続される図示しない本体側コネクタが嵌合する。本体側電気配線３７の他端は、冷蔵庫本体３に設けられる図示しない制御基板に接続する。
【００１９】
庫内灯電気配線３３の他端は庫内灯１７が取り付けられる図示しない庫内灯基板に接続する。図２、図４に示すように、庫内操作パネル１５の裏側に突出するようにして扁平の箱形状の基板取付部３９を形成してあり、基板取付部３９の内部に庫内灯基板を固定する。基板取付部３９は、電装部品収納部を構成しており、背面下部のパネル取付用ボス２３側には、庫内灯電気配線３３を基板取付部３９内に引き込むための電装部品側電気配線引出口としての配線引出孔３９ａを形成している。箱形状の基板取付部３９は、図３に示すように庫内側が開口しており、その開口部を透光性の樹脂製ランプシェード４０（図１）で覆っている。なお、図３は、庫内灯基板及び庫内灯基板に取り付けられる庫内灯１７を省略している。
【００２０】
温調電気配線３５の他端は、温度調整スイッチ１９の温調基板４１に接続する。温調基板４１は、庫内操作パネル１５の裏側に形成された温調基板取付部４３に固定される。温調基板取付部４３は矩形の枠状に形成され、その枠内に温調基板４１を嵌め込むようにして固定する。温調基板４１に取り付けた状態の温度調整スイッチ１９は、操作する（例えば回転させる）ことによって温度調整されるように温調基板４１に接続される。温度調整スイッチ１９は、操作つまみが、庫内操作パネル１５に形成してある円形の貫通孔４５から、図１のように庫内に露出する。なお、図４は、温度調整スイッチ１９を省略している。
【００２１】
コネクタ収納部２７を開閉する蓋部３１と、庫内操作パネル１５の一方の側縁付近との間にはヒンジ４７部を一体形成している。蓋部３１は、ヒンジ４７部を支点として左右方向に回動して開閉する。図３、図４は蓋部３１が開放した状態であり、開放状態で、図３中で右下角部（図４中では左下角部）にねじ挿入孔３１ａを形成してある。
【００２２】
図３、図４に示すように、庫内操作パネル１５の主体部１５ａには、コネクタ収納部２７を間にしてヒンジ４７と反対側にコネクタ通し孔となる矩形状の貫通孔４９を、コネクタ収納部２７に隣接して形成している。図２に示す本体側電気配線３７に接続される図示しない本体側コネクタを、貫通孔４９を通して内箱９側（図４中で紙面表側）から庫内側（図４中で紙面裏側）へ引き出して、図３に示すコネクタ２９に嵌合する。
【００２３】
蓋部３１のねじ挿入孔３１ａに対応する位置であって、貫通孔４９の図３中で左下角部には、板状のボス形成部５１を貫通孔４９に向けて突出するようにして形成してある。ボス形成部５１に、内箱９側（図３中で奥側、図４中で手前側）に向けて突出する円柱形状のボス部５３を設けてある。図３に示すように、ボス形成部５１からボス部５３に向けてねじ孔５５を形成してある。ねじ孔５５は、ボス部５３にナットを埋め込むことによって形成している。なお、ねじ孔５５は、ボス部５３を筒状に形成し、筒状部分の内面の樹脂部に直接雌ねじを形成してもよい。
【００２４】
図３に示すように、蓋部３１の上縁及び下縁には、係止爪３１ｂを形成してある。係止爪３１ｂは、蓋部３１を閉じた状態で、コネクタ収納部２７の上下に形成してある係止孔１５ａｈ及び貫通孔４９の上縁及び下縁に係止する。この状態で、図１に示す締結具としての蓋固定用ねじ５７を、ねじ挿入孔３１ａから挿入し、ねじ孔５５にねじ込むことで、蓋部３１が主体部１５ａに固定される。
【００２５】
図４に示すように、コネクタ収納部２７の貫通孔４９側には、電気配線引出口としての配線引出部５９を形成している。配線引出部５９は、コネクタ収納部２７の貫通孔４９側の側壁２７ａから、貫通孔４９に向けて突出する略半円筒形状となっている。略半円筒形状の配線引出部５９は、図３に示すように、コネクタ収納部２７の開口側に開口しており、貫通孔４９側がコネクタ収納部２７側よりも上下方向の位置関係で下方に位置するよう傾斜している。
【００２６】
図３に示すコネクタ２９に接続された庫内灯電気配線３３及び温調電気配線３５は、図２〜図４に示すように、配線引出部５９を通してコネクタ収納部２７の外部に引き出される。同様にして、本体側コネクタに接続された本体側電気配線３７は、本体側コネクタがコネクタ２９に嵌合した状態で、図２に示すように、配線引出部５９を通してコネクタ収納部２７の外部に引き出される。
【００２７】
図４に示すように、ボス部５３には、庫内灯電気配線３３を引っ掛けるための電気配線保持部としてのフック５３ａを形成してある。フック５３ａは、ボス部５３の配線引出部５９と反対側の側部のやや下部側にボス部５３と一体形成している。フック５３ａは、ボス部５３の先端面からボス部５３の径方向に突出する基部５３ａ１と、基部５３ａ１の先端から図３に示すボス形成部５１に向けてボス部５３の軸方向に突出する爪部５３ａ２とを備える。爪部５３ａ２とボス部５３の外周面との間には庫内灯電気配線３３を収容できる隙間が形成される。
【００２８】
フック５３ａは、配線引出部５９よりも上下方向の位置関係で下方に位置している。このため、図４に示すように、コネクタ収納部２７から配線引出部５９を通して引き出した庫内灯電気配線３３は、配線引出部５９からボス部５３側の斜め下方に延び、ボス部５３の下側を図４中で反時計回り方向に巻き回すようにして、ボス部５３と爪部５３ａ２との間の隙間に通す。庫内灯電気配線３３を、ボス部５３と爪部５３ａ２との間の隙間に通す際には、爪部５３ａ２の先端側の開口から基部５３ａ１に向けてボス部５３の軸方向に沿って移動させる。
【００２９】
ボス部５３と爪部５３ａ２との間の隙間に通した庫内灯電気配線３３は、上方に向けて配索される第１上下配線部３３ａとなる。第１上下配線部３３ａの上端部付近の庫内操作パネル１５には、上部第１フック６１を形成してある。上部第１フック６１は、庫内操作パネル１５における上部傾斜部１５ｂの主体部１５ａ近傍に位置しており、上方に向けて上部傾斜部１５ｂと略平行に突出している。
【００３０】
上部第１フック６１に対し上下方向に関して同一位置で、基板取付部３９側には、上部第２フック６３を形成してある。上部第２フック６３は、上部第１フック６１と同様に、庫内操作パネル１５における上部傾斜部１５ｂの主体部１５ａ近傍に位置しており、上方に向けて上部傾斜部１５ｂと略平行に突出している。庫内灯電気配線３３は、上部第１フック６１及び上部第２フック６３に対し、上方から入り込ませることで保持されて水平配線部３３ｂとなる。
【００３１】
水平配線部３３ｂは、上部第１フック６１と上部第２フック６３との間で略水平である。水平配線部３３ｂは、上部第２フック６３から引き出された後に、下方に向けて配索される第２上下配線部３３ｃとなる。上部第２フック６３は、水平方向で基板取付部３９よりも僅かにパネル取付用ボス２３側に位置している。このため、第２上下配線部３３ｃは、基板取付部３９とパネル取付用ボス２３との間を通る。
【００３２】
上部第２フック６３の下方で、かつ、基板取付部３９とパネル取付用ボス２３との間の下方には、電装部品側電気配線保持部としての下部フック６５を設けている。下部フック６５は、上下方向の位置関係で配線引出孔３９ａよりも下方に位置しており、下方に向けてフック爪が突出している。
【００３３】
庫内灯電気配線３３は、第２上下配線部３３ｃを下部フック６５に引っ掛けた後、図５中で右斜め上に位置する配線引出孔３９ａを通して基板取付部３９内の図示しない庫内灯基板に接続する。第２上下配線部３３ｃと庫内灯基板との接続部は、配線引出孔３９ａに対し、上下方向の位置関係では上方であっても下方であっても構わない。第２上下配線部３３ｃと庫内灯基板との接続部は、例えばコネクタ接続とする。コネクタ接続した後に、庫内灯基板を基板取付部３９に取り付ける。
【００３４】
図４に示すように、コネクタ収納部２７から配線引出部５９を通して引き出した温調電気配線３５は、配線引出部５９からボス部５３側の斜め下方に延び、そのまま下方に向けて、温調基板取付部４３とパネル取付用ボス２３との間を配索する。温調基板取付部４３は、上壁４３ａと左右の側壁４３ｂ，４３ｃと下壁４３ｄとを備える。下壁４３ｄの側壁４３ｂ側に切欠部４３ｄ１を形成している。
【００３５】
温調電気配線３５は、側壁４３ｂとパネル取付用ボス２３との間を配索し、側壁４３ｂの下方を通って切欠部４３ｄ１から温調基板取付部４３の内部に引き込み、温調基板４１に接続する。温調電気配線３５と温調基板４１との接続は、例えばコネクタ接続でよい。下壁４３ｄの下部の湾曲部１５ｃには、センサ取付部１５ｃ１を設けてあり、センサ取付部１５ｃ１には、冷蔵室７の庫内温度を検出する図示しない温度センサを取り付ける。温度センサの検出温度に基づいて、冷蔵庫本体３の制御部が図示しないコンプレッサ等を制御して庫内温度を設定温度となるよう調整する。
【００３６】
図２に示すように、コネクタ収納部２７から配線引出部５９を通して引き出した本体側電気配線３７は、下方に向けて配索し、内箱９に設けた内箱貫通孔９ｃから外箱１１側に引き出し、冷蔵庫本体３に設けられる図示しない制御基板に接続する。内箱貫通孔９ｃは、温調基板取付部４３に略対応する位置にあって、上下方向の位置関係では配線引出部５９よりも下方に位置している。
【００３７】
次に、本実施形態の作用効果を説明する。
【００３８】
本実施形態は、冷蔵庫本体３と、冷蔵庫本体３の背面部の庫内側に取り付けられる庫内操作パネル１５と、庫内操作パネル１５に取り付けられる庫内灯１７と、庫内操作パネル１５に設けられ、冷蔵庫本体３の制御基板と庫内灯１７とを接続する庫内灯電気配線３３のコネクタ２９を収納するコネクタ収納部２７と、コネクタ収納部２７の庫内側に形成される開口部を閉塞する蓋部３１とを有する。
【００３９】
さらに、庫内操作パネル１５の背面側に設けられ、蓋部３１を庫内操作パネル１５に対して庫内側から固定する際に蓋固定用ねじ５７が締結されるボス部５３と、コネクタ収納部２７に設けられ、庫内灯電気配線３３がコネクタ収納部２７の内部から外部に引き出される配線引出部５９と、配線引出部５９から引き出される庫内灯電気配線３３を保持するフック５３ａとを、有する。フック５３ａは、配線引出部５９より下方の位置でボス部５３に一体形成されている。
【００４０】
本実施形態の冷蔵庫１は、冷蔵庫本体３の上部に冷却器を備える冷凍室５が設けられ、冷凍室５の下部の冷蔵室７に庫内操作パネル１５を取り付けている。このため、冷却器によって発生する結露水が、庫内操作パネル１５の背面側を伝わり、庫内灯電気配線３３に付着することがある。
【００４１】
この場合、例えば庫内灯電気配線３３の第１上下配線部３３ａに付着した結露水は、下方のフック５３ａに向けて流下する。このときフック５３ａは、配線引出部５９よりも上下方向の位置関係で下方に位置しているので、第１上下配線部３３ａに沿って流下する結露水は、配線引出部５９に向けて流れることはなく、フック５３ａ近傍で下方に向けて落下する。このため、第１上下配線部３３ａに沿って流下する結露水のコネクタ収納部２７内への浸入を抑制できる。
【００４２】
フック５３ａは、ボス部５３に一体形成されているため、ボス部５３とは別の位置に、庫内灯電気配線３３を引っ掛けるための専用のフックを設ける必要がなく、構造の簡素化を図ることができる。
【００４３】
本実施形態は、フック５３ａと庫内灯１７との間の庫内灯電気配線３３を、庫内灯１７の近傍で保持する下部フック６５と、庫内灯１７を収納する基板取付部３９と、を有する。基板取付部３９は、庫内灯１７に接続される庫内灯電気配線３３が基板取付部３９の内部から外部に引き出される配線引出孔３９ａを備えている。下部フック６５は、配線引出孔３９ａよりも下方に位置している
【００４４】
この際、庫内灯電気配線３３の第２上下配線部３３ｃに付着した結露水は、下部フック６５に向けて流下する。このとき下部フック６５は、配線引出孔３９ａよりも上下方向の位置関係で下方に位置しているので、第２上下配線部３３ｃに沿って流下する結露水は、配線引出孔３９ａに向けて流れることはなく、下部フック６５近傍で下方に向けて落下する。このため、第２上下配線部３３ｃに沿って流下する結露水の基板取付部３９内への浸入を抑制できる。
【００４５】
配線引出部５９から引き出された温調電気配線３５は、下方に向けて配索され、かつ、温調基板取付部４３の下壁４３ｄの下方から切欠部４３ｄ１を通して内部に入り込んでいる。このため、温調電気配線３５に付着した結露水のコネクタ収納部２７内及び温調基板取付部４３内への浸入を抑制できる。
【００４６】
配線引出部５９から引き出された本体側電気配線３７は、配線引出部５９よりも下方に位置する内箱貫通孔９ｃから外箱１１側に引き出し、冷蔵庫本体３の制御基板に接続している。このため、本体側電気配線３７に付着した結露水のコネクタ収納部２７内への浸入を抑制できる。冷蔵庫本体３の制御基板は、上下方向の位置関係で内箱貫通孔９ｃよりも上方に位置させることで、本体側電気配線３７に付着した結露水の制御基板への浸入を抑制できる。
【００４７】
このように、コネクタ収納部２７内、基板取付部３９内、温調基板取付部４３内及び冷蔵庫本体３側への結露水の浸入を抑制できる。これにより、コネクタ２９、庫内灯１７（庫内灯基板）、温度調整スイッチ１９（温調基板４１）及び制御基板に結露水が付着することを抑制でき、これら電装部品の故障を抑制して信頼性の高い冷蔵庫１とすることができる。
【００４８】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。
【００４９】
例えば、上記実施形態では、庫内操作パネル１５に取り付ける電装部品として庫内灯１７を例にとって説明したが、庫内灯１７以外の電装部品に対しても本発明を適用できる。
【符号の説明】
【００５０】
１  冷蔵庫
３  冷蔵庫本体
１５  庫内操作パネル
１７  庫内灯（電装部品）
２７  コネクタ収納部（電気配線収納部）
２９  コネクタ（中継部）
３１  蓋部
３３  庫内灯電気配線（電気配線）
３９  基板取付部（電装部品収納部）
３９ａ  配線引出孔（電装部品側電気配線引出口）
５３  ボス部
５３ａ  フック（電気配線保持部）
５７  蓋固定用ねじ（締結具）
５９  配線引出部（電気配線引出口）
６５  下部フック（電装部品側電気配線保持部）
【図１】
2018119705.tif 000003
【図２】
2018119705.tif 000004
【図３】
2018119705.tif 000005
【図４】
2018119705.tif 000006
【図５】
2018119705.tif 000007